(57)【要約】【課題】  屋根工事を効率よく行うことでき、瓦の割付や残材の発生のばらつきを少なくすることができる屋根工事システムを提供する。【解決手段】  ロットデータ記憶部１３ｃは、瓦のロットを識別するためのロット識別子と、そのロット識別子の瓦を実測して得た実測寸法データとを対にして記憶する。瓦割付部１５ｂは、選択されたロット識別子に対応する実測寸法データを、ロットデータ記憶部１３ｃから読み出し、選択されたロット識別子に対応する瓦を、寸法データが入力された屋根にどのように割り付けるかを演算する。切断データ出力部１５ｂは、瓦割付部１５ｂにより割り付けが演算された瓦のうち切断すべき瓦について、切断後の寸法形状及び割付位置のデータを出力する。【選択図】図１
2005179953.tif 000002
【特許請求の範囲】
【請求項１】
瓦のロットを識別するためのロット識別子と、該ロット識別子の瓦を実測して得た実測寸法データとを対にして記憶するロットデータ記憶部と、
選択された上記ロット識別子に対応する上記実測寸法データを、上記ロットデータ記憶部から読み出し、選択された上記ロット識別子に対応する瓦を、寸法データが入力された屋根にどのように割り付けるかを演算する瓦割付部と、
該瓦割付部により割り付けが演算された瓦のうち切断すべき瓦について、切断後の寸法形状及び割付位置のデータを出力する切断データ出力部とを備えたことを特徴とする屋根工事システム。
【請求項２】
上記ロットデータ記憶部を含む第１のサーバと、
上記瓦割付部と上記切断データ出力部とを含む第２のサーバとを備え、
上記第１のサーバと上記第２のサーバとが通信網を介して接続されたことを特徴とする、請求項１に記載の屋根工事システム。
【請求項３】
上記瓦割付部は、瓦の割り付けの演算結果に基づいて瓦の残材の量を算出する残材算出部を含むことを特徴とする、請求項１又は２に記載の屋根工事システム。
【発明の詳細な説明】
【技術分野】
【０００１】
本発明は屋根工事システムに関する。
【背景技術】
【０００２】
瓦葺きの屋根は、瓦の配置によって外観の印象が大きく変化するが、どのように瓦を割り付けるかは、施工者が施工段階できめることが多かった。瓦の割付には、熟練が要求される。そこで、屋根に対応した適切な瓦の割付をコンピュータを用いて演算することが提案されている（特許文献１及び２参照）。
【特許文献１】特開平９−６０１９７号公報
【特許文献２】特開２００２−３３２７１５号公報
【発明の開示】
【発明が解決しようとする課題】
【０００３】
このような技術により、瓦の割付を予め決めておいても、瓦の計算上の寸法と実際の寸法とには数ｍｍの公差があるので、瓦を配列したときに全体の誤差が、例えば数ｃｍ〜数十ｃｍ程度まで、大きくなる。そのため、屋根面の周縁などに割り付けられ切断する必要がある瓦については、施工現場で切断せざるを得なかった。
【０００４】
このような施工現場での瓦切断作業は、時間がかかるので作業効率が悪い。また、騒音や粉じんが、近隣の迷惑となる。また、施工現場で切断作業を行うスペースを確保することが困難な場合もある。さらには、職人によって、瓦の割付や残材の量が異なり、施工のばらつきが生じる。
【０００５】
本発明は、かかる実情に鑑みて、屋根工事を効率よく行うことでき、瓦の割付や残材の発生のばらつきを少なくすることができる屋根工事システムを提供することを課題の一つとする。
【課題を解決するための手段】
【０００６】
本発明は、上記課題を解決するため、以下のように構成した屋根工事システムを提供する。
【０００７】
屋根工事システムは、ロットデータ記憶部と、瓦割付部と、切断データ出力部とを備える。上記ロットデータ記憶部は、瓦のロットを識別するためのロット識別子と、該ロット識別子の瓦を実測して得た実測寸法データとを対にして記憶する。上記瓦割付部は、選択された上記ロット識別子に対応する上記実測寸法データを、上記ロットデータ記憶部から読み出し、選択された上記ロット識別子に対応する瓦を、寸法データが入力された屋根にどのように割り付けるかを演算する。上記切断データ出力部は、上記瓦割付部により割り付けが演算された瓦のうち切断すべき瓦について、切断後の寸法形状及び割付位置のデータを出力する。
【０００８】
上記構成によれば、実際に使用するロットの瓦の実測寸法を用いて高い精度で瓦の割付演算を行うことができるので、切断データ出力部が出力した切断後の瓦の寸法形状及び割付位置のデータに基づいて、瓦を予め切断しておき、施工現場では、その切断した瓦を所定の割付位置に配置して固定することにより、屋根に瓦を葺くことができる。切断後の寸法形状が予め分かるので、従来の施工現場での現物合わせによる瓦の切断作業と比べると、効率的に瓦を切断することができる。施工現場以外で予め瓦を切断することができるので、施工現場では切断作業のスペースが不要となり、近隣の迷惑となる騒音や粉じんも発生しない。さらに、瓦の割付や残材の発生量は、瓦割付部の演算により機械的に決まるので、職人による施工のばらつきをなくすことができる。
【０００９】
好ましくは、上記ロットデータ記憶部を含む第１のサーバと、上記瓦割付部と上記切断データ出力部とを含む第２のサーバとを備える。上記第１のサーバと上記第２のサーバとが通信網を介して接続される。
【００１０】
上記構成において、第２のサーバは、第１のサーバのロットデータ記憶部と通信して実測寸法データを取得し、瓦の割付を演算する。
【００１１】
上記構成によれば、例えば、各地に点在する施工店は、地区内の第２のサーバを利用して、瓦の割付を演算する。例えば地区ごとに第２のサーバを設ければ、地区ごとの事情、例えば降雨量・降雪量・風速などの気象条件に応じて、それぞれの仕様で瓦の割付演算を行うことが容易となる。一方、システム全体で共通に利用する瓦のロットごとの実測寸法データなどは、第１のサーバで一元的に管理することにより、データ管理の効率化を図ることができる。
【００１２】
好ましくは、上記瓦割付部は、瓦の割り付けの演算結果に基づいて瓦の残材の量を算出する残材算出部を含む。
【００１３】
上記構成によれば、瓦の残材の量を算出することにより、瓦を廃棄する量や再利用する量を予測し、環境に与える影響を事前に評価することができる。また、瓦の端材の使い回しなどの工夫による残材を削減する効果を、算出した残材の量によって容易に評価することができる。
【発明の効果】
【００１４】
本発明の屋根工事システムによれば、屋根工事を効率よく行うことでき、瓦の割付や残材の発生のばらつきを少なくすることができる。
【発明を実施するための最良の形態】
【００１５】
以下、本発明の実施の形態として一実施例を、図１〜図６を参照しながら説明する。
【００１６】
図１は、屋根工事システム１０の全体構成を示す。第１のサーバである管理センターのサーバ１２（以下、「管理サーバ１２」という。）と、第２のサーバである地区センターのサーバ１４（以下、「地区サーバ１４」という。）と、瓦工場の端末装置３０（以下、「瓦工場端末３０」という。）と、施工店の端末装置４０（以下、「施工店端末４０」という。）と、プレカットセンター１７の端末装置１６（以下、「プレカット端末１６」という。）とは、通信網１８（例えば、インターネット通信網、あるいは専用回線網）を介して接続されている。
【００１７】
管理サーバ１２は、瓦データ管理サービスを提供する側のコンピュータであり、図１に示すように、通信部１３ａと、制御部１３ｂと、データを格納する記憶部１３ｃとを備えている。通信部１３ａは、通信網１８に接続するためのインターフェースであり、データを受信したり送信したりする。制御部１３ｂは、所定のプルグラムに従って動作し、通信部１３ａの送受信の制御や、記憶部１３ｃに対するデータ読み書き制御などを行う。記憶部１３ｃには、瓦工場で生産された瓦に関する情報が格納される。具体的には、図２に示すように、瓦の種類ごとに、瓦の種類を識別するための種類識別子６２と、その瓦の特性データ６４及び標準寸法データ６６と、実測データ群７０とが、格納されている。実測データ群７０は、ロットを識別するためのロット識別子７１ａ，７２ａと、そのロットの実測寸法データ７１ｂ，７２ｂとが対になって格納されたものである。特性データ６４には、単位面積あたりの重量、リサイクルの可否、リサイクルする場合に得られるリサイクル物の種類や瓦の単位面積あたりから得られる量などを含めることができる。標準寸法データ６６及び実測寸法データ７１ｂ，７２ｂは、瓦の各種の寸法（幅、長さ、働き幅、働き長さなど）を含めることができる。ここで、働き長さ、働き幅とは、屋根に葺いたときに重なり合う部分を差し引いた寸法である。これらの寸法は、±３〜±４ｍｍ程度の公差が許容されている。
【００１８】
地区サーバ１４は、瓦割付サービスを提供する側のコンピュータであり、通信部１５ａと、制御部１５ｂと、データを格納する記憶部１５ｃとを備えている。通信部１５ａは、通信網１８に接続するためのインターフェースであり、データを受信したり送信したりする。制御部１５ｂは、所定のプルグラムに従って動作し、通信部１５ａの送受信の制御や、記憶部１５ｃに対するデータ読み書き制御のほか、瓦割付などの演算も行う。記憶部１５ｃには、瓦割付の演算規則である施工ルールが格納されている。地区サーバ１４を地区ごとに配置すれば、それぞれの記憶部１５ｃに、その地区固有の施工ルールを格納することができる。これによって、例えば降雪が多い地域では雪止めの瓦を配置するなど、地区ごとの気象条件や慣習などに応じて、地区ごとの実情に適合した瓦割付の演算を行うことができる。
【００１９】
瓦工場端末３０は、管理サーバ１２の記憶部１３ｃに格納するためのデータ（種類識別子、ロット識別子、実測寸法データ）を送信するために、瓦工場のユーザーが使用する端末装置である。なお、管理サーバ１２の記憶部１３ｃに格納するためのデータは、適宜な記憶媒体に格納して管理センターに送り、通信網１８を介さずに記憶部１３ｃに格納するようにしてもよい。瓦工場端末３０は、例えば、キーボードやマウスとディスプレイ装置などを適宜に組み合わせた端末装置である。瓦工場端末３０は、オペレータが瓦の実測寸法データを手入力するものであっても、測定機器で計測したデータから自動的に送信データが生成され、管理サーバ１２に送信されるものであってもよい。
【００２０】
施工店端末４０は、地区サーバ１４に接続して瓦割付サービスを利用する側の端末装置である。施工店端末４０は、例えば、キーボードやマウスとディスプレイ装置などを適宜に組み合わせた端末装置である。施工店端末４０は、瓦割付サービスを受けるためのデータ（屋根の寸法データなど）を手入力し、地区サーバ１４に送信するものであっても、所定のプログラムに従ってＣＡＤデータやスキャナで読み取った図面データから生成したデータを、地区サーバ１４に送信するものであってもよい。施工店端末４０は、地区サーバ１４から瓦割付の演算結果データを受信する。施工店端末４０にはプリンタなどの出力装置（図示せず）が接続され、切断する瓦の寸法形状や割付位置などを示す書類４４を出力できるようになっている。
【００２１】
プレカット端末１６は、施工店端末４０が地区サーバ１４に接続して瓦割付サービスを利用して瓦の割付を決定すると、地区サーバ１４から、切断する瓦について、切断後の寸法形状や割付位置などのプレカット情報を受信する端末装置である。プレカット情報には、施工現場５０で使用する瓦の種類識別子、ロット識別子、数量データとともに、切断すべき瓦についての切断後の寸法形状及び割付位置などのデータが含まれる。プレカットセンター１７では、プレカット端末１６で受信した切断すべき瓦の寸法形状及び割付位置のデータに基づいて、指定された瓦２２を切断する。切断作業は、プレカット端末１６が受信したプレカット情報を利用して、自動化することも可能であるが、例えば、プレカット端末１６に接続したプリンタなどの出力装置で、図４に例示したようなプレカット図をプリントアウトし、このプレカット図に基づいて手作業で瓦２２を切断するようにしてもよい。
【００２２】
切断した瓦２２のうち、施工に用いる部分２２ａは、プレカットセンター１７において、割付位置の順序に従って梱包する。切断して残った部分（端材）２２ｂは、プレカットセンター１７から処理工場３２に配送され、培養土２６などに再資源化されたり、廃棄されたりする。なお、端材２２ｂは、可能であれば他の部分に割り付け、使い回すようにしてもよい
【００２３】
施工に必要な瓦２４（切断された瓦２２の施工に用いる部分２２ａを含む）と、瓦を固定するための釘などの副資材２８とは、トラック３４で、プレカットセンター１７から施工現場５０に一括配送される。施工店の手配により施工現場５０に派遣された職人４２は、切断する瓦の寸法形状や割付位置などを示す書類４４を参照しながら、瓦を屋根に配置し固定する。施工現場５０では、プレカットセンター１７で予め切断された瓦を所定位置に配置すればよいので、施工現場５０での瓦の切断作業を不要とすることができる。
【００２４】
次に、屋根工事システム１０の動作について、図３のフローチャートを参照しながら説明する。
【００２５】
瓦工場で生産された瓦について、瓦工場端末３０から、瓦の種類識別子と、ロット識別子と、そのロットの瓦の実測寸法データとが、通信網１８を介して、管理サーバ１２の通信部１３ａに送信される。通信部１３ａは、そのデータを制御部１３ｂに送出する。制御部１３ｂは、通信部１３ａからのデータを分析し、種類識別子に対応する実測データ群として、ロット識別子と実測データとを対にして記憶部１３ｃに格納するように、制御する。地区サーバ１４の記憶部１５ｃには、地区ごとの属性（気象条件や慣習など）に応じた施工ルールが、予め格納されている。
【００２６】
瓦割付サービスを利用するとき、施工店端末４０が地区サーバ１４に接続され、施工店端末４０から、屋根の寸法データが入力される（＃１０）。例えば、施工店では、図５に示す屋根伏図（屋根を上から見た平面図）を準備し、施工店端末４０から、屋根面５１〜５４の各点の座標値と、屋根面５１〜５４のいずれかの屋根勾配（角度）とが入力され、地区サーバ１４に送信される。あるいは、施工店端末４０は、ＣＡＤデータから、あるいは屋根伏図等の図面のスキャンデータから、データを自動生成し、地区サーバ１４に送信するようにしてもよい。
【００２７】
施工店端末４０には、さらに、屋根に葺く瓦の型番（種類識別子）とロット番号（ロット識別子）とが入力され、そのデータは地区サーバ１４に送信され、通信部１５ａを介して制御部１５ｂに送出される（＃１２）。
【００２８】
地区サーバ１４の制御部１５ｂは、瓦割付演算に先立って、データベースを参照する。すなわち、制御部１５ｂは、通信部１５ａを介して、管理サーバ１２の通信部１３ａに接続し、管理サーバ１２の記憶部１３ｃから、施工店端末４０から入力された瓦の型番に対応する種類識別子の実測データ群の中から、施工店端末４０から入力された瓦のロット番号に対応するロット識別子と対になった実測寸法データと、施工店端末４０から入力された瓦の型番に対応する種類識別子と対になっている所定の特性データ（例えば、瓦の単位面積あたりの重量）とを読み出し、送信するように要求する。要求されたデータは、管理サーバ１２の制御部１３ｂの制御により記憶部１３ｃから読み出され、通信部１２ａから、地区サーバ１４の通信部１５ａに送信される。通信部１５ａは、受信したデータを制御部１５ｂに送出する。また、地区サーバ１４の制御部１５ｂは、記憶部１５ｃを参照し、施工ルールを取得する（＃１４）。
【００２９】
地区サーバ１４の制御部１５ｂは、屋根の寸法データと、瓦の実測寸法データと、施工ルールとに基づいて、屋根に瓦を割り付ける演算を行う。例えば、特許文献１又は２に開示されたような公知の方法で、適宜に瓦を割り付ける（＃１５）。例えば、図６に示すように、各屋根面５１〜５４に瓦を割り付ける。稜線５９に対して直角方向には、整数枚の瓦が配置されるように、瓦のピッチを決定する。稜線５５〜５８に隣接して配置される瓦は、切断される。なお、切断後に残る端材は、他の位置に使い回すように割付演算を行い、瓦の使用量と残材量とを減らすようにしてもよい。
【００３０】
次に、瓦割付の演算結果に基づいて、切断することになる瓦の切断後の寸法形状と割付位置とを対にしたデータ（以下、「プレカットデータ」という。）を生成する（＃１６）。同時に、瓦の残材量を演算する。例えば、切断して残った部分や、ロット中で余った瓦について、面積を合計し、特性データに含まれる単位面積あたりの重量を用いて、残材の重量を算出する（＃１７）
【００３１】
次に、地区サーバ１４は、瓦割付の演算結果（例えば、瓦割付図のデータ）と、プレカットデータ（例えば、プレカット図のデータ）と、残材量とを、施工店端末４０に送信する。同時に、プレカットデータ（例えば、プレカット図のデータ）は、プレカット端末１６にも送信する（＃１８）。
【００３２】
地区サーバ１４は、施工店端末４０から終了指示データを受信すると（＃２０でＹＥＳ）、瓦割付サービスの提供を終了する。
【００３３】
一方、所定時間内に終了指示データを受信しない場合（＃２０でＮＯ）、地区サーバ１４は、管理サーバ１２に接続し、施工店端末４０から入力された瓦の型番に対応する種類識別子と対になった特性データを記憶部１３ｃから読み出して送信するように要求する。管理サーバ１２は、要求されたデータを送信し、地区サーバ１４の制御部１５ｂは、そのデータを通信部１５ａから取得する（＃２４）。
【００３４】
地区サーバ１４の制御部１５ｂは、管理サーバ１２から受信した特性データに含まれるリサイクル情報に基づいて、瓦のリサイクル量や、廃棄又はリサイクルする割合を演算する。例えば、リサイクル情報（例えば、瓦の単位重量から再資源化できる培養土の重量）に基づいて、瓦の残材量から生成することができる培養土の量を算出する。そして、演算結果をプレカット端末１６と施工店端末４０とに送信し（＃２８）、動作を終了する。プレカットセンター１７では、例えば、施工現場５０で使用する瓦により発生する残材を培養土として再資源化したときの量だけ、培養土を施工現場に搬送するように手配する。施工店は、その培養土を施工現場で利用するように手配する。
【００３５】
以上に説明した屋根工事システムによれば、プレカットセンター１７で、予め瓦を所定の寸法形状に切断しておくことにより、施工現場５０では、瓦を切断することなく、効率的に屋根工事を行うことができる。施工現場では切断作業のスペースが不要となり、近隣の迷惑となる騒音や粉じんも発生しない。また、瓦割付サービスにより機械的に瓦の割付を行うので、瓦の割付や残材の発生のばらつきを少なくすることができる
【００３６】
また、各地に点在する施工店は、それぞれの地区の地区サーバ１４を利用して、瓦割付サービスを利用する。地区ごとに地区サーバ１４を設ければ、地区ごとの事情、例えば降雨量・降雪量・風速などの気象条件や慣習などに応じて、地区ごとに個別の仕様で、瓦割付サービスを提供することが、容易となる。一方、システム全体で共通に利用する瓦のロットごとの実測寸法データなどは、管理サーバ１２で一元的に管理することにより、データ管理の効率化を図ることができる。
【００３７】
さらに、瓦の残材の量を算出することにより、瓦を廃棄する量や再利用する量を予測し、環境に与える影響を事前に評価することができる。また、瓦の端材の使い回しなどの工夫による残材を削減する効果を、算出した残材の量によって容易に評価することができる。
【００３８】
なお、本発明の屋根工事システムは、上記した実施例に限定されるものではなく、種々変更を加えて実施することができる。
【００３９】
例えば、管理サーバ１２と地区サーバ１４とに分散せずに、１箇所に集中してもよい。逆に、地区サーバ１４を、小ブロックごとのサーバと、それらを統括する中部ブロックごとのサーバとに分散したネットワークを構築してもよい。また、施工店端末４０とプレカット端末１６とに分散せずに、１箇所に集中してもよい。また、図３のステップ＃１２において、瓦の型番（種類識別子）やロット番号（ロット識別子）そのものを入力する代わりに、瓦の型番（種類識別子）やロット番号（ロット識別子）を特定できる情報（例えば、発注番号）を入力するようにしてもよい。
【図面の簡単な説明】
【００４０】
【図１】本発明を一実施例を示す屋根工事システムの全体構成図である。
【図２】同システムの管理サーバの記憶部に格納されるデータの説明図である。
【図３】同システムの動作を示すフローチャートである。
【図４】プレカット図の一例である。
【図５】屋根伏図の一例である。
【図６】瓦割付図の一例である。
【符号の説明】
【００４１】
１２  管理サーバ（第１のサーバ）
１２ａ  通信部
１３ｂ  制御部
１３ｃ  記憶部（ロットデータ記憶部）
１４  地区サーバ（第２のサーバ）
１５ａ  通信部
１５ｂ  制御部（瓦割付部、切断データ出力部、残材算出部）
１５ｃ  記憶部
１８  通信網
２２  瓦
２２ａ  仕様部分
２２ｂ  残材部分
３０  瓦工場端末
４０  施工店端末
５０  施工現場
６２  種類識別子
６４  リサイクル特性データ
６６  標準寸法データ
７０  実測データ群
７１ａ，７２ａ  ロット識別子
７１ｂ，７２ｂ  実測寸法データ
【図１】
2005179953.tif 000003
【図２】
2005179953.tif 000004
【図３】
2005179953.tif 000005
【図４】
2005179953.tif 000006
【図５】
2005179953.tif 000007
【図６】
2005179953.tif 000008